(57)【要約】【課題】寸法が正確で巻上げ繰り出しがスムースに行える遮光スクリーン、防虫網のテープ状補強部を提供する。【解決手段】テープ状補強部１７ｓは、長さ方向中心線に沿い、かつ片面側に極薄部０１を形成したもので、その極薄部０１の形成は、二枚の補強テープ１７ｓを並列し両者を極薄の接着テープ０１ｂで貼り合わせて繋ぐようにしたものであり、また、テープ状補強部１７ｓの遮光スクリーンまたは防虫網１７に向かう面に両面接着テープ０２を添着している。【選択図】図１
2010261283.tif 000002
【特許請求の範囲】
【請求項１】
端縁にテープ状補強部（１７ｓ）を形成してなる防虫網または遮光スクリーン（１７）において、上記テープ状補強部（１７ｓ）を形成する部材の長さ方向中心線に沿い、かつ片面側に極薄部（０１）を形成したことを特徴とする防虫網（１７）または遮光スクリーンのテープ状補強部形成部材。
【請求項２】
端縁にテープ状補強部（１７ｓ）を形成してなる防虫網または遮光スクリーン（１７）において、二本のテープ状補強部材（１７ｓ）の縁をその長さ方向に沿わせ、両者の片面に極薄の接着テープ（０１）を張付けてなることを特徴とする請求項１に記載の防虫網または遮光スクリーン（１７）のテープ状補強部形成部材。
【請求項３】
端縁にテープ状補強部を形成してなる防虫網または遮光スクリーン（１７）において、テープ状補強部材（１７ｓ）の長さ方向中心線に沿って、その片面からＶ字状またはＵ字状に削ぎとって極薄部（０１）を形成したことを特徴とする請求項１に記載の防虫網または遮光スクリーン（１７）のテープ状補強部形成部材。
【請求項４】
端縁にテープ状補強部（１７ｓ）を形成してなる防虫網または遮光スクリーン（１７）において、そのテープ状補強部材（１７ｓ）の幅より広い幅を有する極薄のテープ（０３）を貼り合せてなることを特徴とする防虫網または遮光スクリーン（１７）のテープ状補強部形成部材。
【請求項５】
請求項１から４の防虫網または遮光スクリーン（１７）のテープ状補強部形成部材の両縁に両面接着テープ（０２）を添着したことを特徴とする防虫網または遮光スクリーン（１７）のテープ状補強部形成部材。
【請求項６】
繰り出され、巻き上げられる遮光スクリーン（１７）の両縁にテープ状補強部（１７ｓ）を一体に形成し、遮光スクリーン（１７）が繰り出されるに従って、上記テープ状補強部（１７ｓ）が案内手段（１０）に導入されることにより折り曲げられて両サイドが固定され、巻上げられるときには上記案内手段（１０）から外れてフラットとなり嵩低く蜜に巻き上げられるように構成する巻上げ可能な遮光スクリーン（１７）において、上記テープ状補強部１７ｓに、請求項１乃至請求項５のテープ状補強部形成部材のいずれかを採用したことを特徴とする巻上げ可能な遮光スクリーン。
【請求項７】
繰り出され、巻き上げられる防虫網（１７）の両縁にテープ状補強部（１７ｓ）を一体に形成し、防虫網（１７）が繰り出されるに従って、上記テープ状補強部（１７ｓ）が案内手段（１０）に導入されることにより折り曲げられて両サイドが固定され、巻上げられるときには上記案内手段（１０）から外れてフラットとなり嵩低く蜜に巻き上げられるように構成する巻上げ可能な防虫網（１７）において、請求項１乃至請求項５のテープ状補強部形成部材のいずれかを採用したことを特徴とする巻上げ可能な防虫網。
【請求項８】
サッシ（Ｓ）の大きさに合わせて裁断した防虫網（１７）の各辺にテープ状補強材（１７）を一体に張付けてなり、好ましくは上記サッシ（Ｓ）に張付けられる防虫網（１７）の各角をテープ状補強材（１７ｓ）の幅に合わせて切込み（１４）を形成してなる構成を採用し、また、内周りに凹溝（１５ａ）を形成したサッシ（Ｓ）と、前記凹溝（１５ａ）に嵌まり合う入れ子枠（１６ａ）と、上記サッシ（Ｓ）に張付けられる防虫網（１７）からなり、上記サッシ（Ｓ）に張付けられる防虫網（１７）のテープ状補強部（１７ｓ）を折り曲げて上記凹溝（１５ａ）に差込み、その状態で入れ子枠（１６ａ）を上記凹溝（１５ａ）に嵌め込んでなる構成とし、好ましくは、上記サッシ（Ｓ）の凹溝（１５ａ）と入れ子枠（１６ａ）との間に嵌め殺し構造（１８）を採用した構成とするサッシへの防虫網取付け構造において、請求項１乃至請求項５のテープ状補強部形成部材のいずれかを採用したことを特徴とするサッシへの防虫網取付け構造。
【請求項９】
各辺の縁にテープ状補強部（１７ｓ）を形成した防虫網（１７）と、サッシ（Ｓ）内周壁（２１）の内側に沿って、上端に鉤（２２）を形成した段付き隔壁（２３）を立ち上げ、上記防虫網（１７）のテープ状補強部（１７ｓ）と後記押え蓋Ｆの鉤状リブ（３１）を設けたＴ字脚（３２）とを収容する段付き凹溝（２４）を形成したサッシ（Ｓ）と上記サッシ（Ｓ）に、軸方向に一部を開口した軸受け（２７）を形成し、この軸受け（２７）にＴ字脚（３２）を有する押え蓋Ｆのリブ状回転軸（３３）を嵌め入れてなる押え蓋（Ｆ）とからなり、上記段付き凹溝（２４）の底部分に上記補強縁（１７ｓ）を差し込み、押え蓋（Ｆ）を倒すと共に、そのＴ字脚（３２）を段付き凹溝（２４）に押し込み、上記段付き隔壁（２３）の上端の鉤（２２）に上記Ｔ字脚の鉤状リブ（３１）を係合させてなる構成の防虫網張付け構造において、上記テープ状補強縁（１７ｓ）として請求項１乃至請求項５のテープ状補強部形成部材のいずれかを採用したことを特徴とする防虫網張付け構造。
【発明の詳細な説明】
【技術分野】
【０００１】  本発明は、窓枠（サッシ）に付設される遮光スクリーンあるいは防虫網の幅方向・長さ方向の寸法を正確に決める共に正確な幅の縁取りを施す技術に関する。
【背景技術】
【０００２】  本出願人は、特願２００８−９９７６２で、建物の開口部に設置された窓枠の面に沿って繰り出され、巻き上げられる遮光スクリーン１７において、その遮光スクリーン１７の両縁にテープ状補強部１７ｓを一体に形成し、遮光スクリーン１７が繰り出されるに従って、上記テープ状補強部１７ｓが案内手段１０に導入されることにより折り曲げられて幅方向に緊張状態となり、巻上げられるときには上記案内手段１０から外れて遮光スクリーン１７に対してフラットとなり嵩低く蜜に巻き上げられるように構成する「巻上げ可能な遮光スクリーン」提案した。【０００３】  また、特願２００８−９９７６３で建物の開口部に設置された窓枠の面に沿って繰り出され、巻き上げられる防虫網１７において、その防虫網１７の両縁にテープ状補強部１７ｓを一体に形成し、防虫網１７が繰り出されるに従って、上記テープ状補強部１７ｓが案内手段１０に導入されることにより折り曲げられて両サイドが固定され、巻上げられるときには上記案内手段１０から外れてフラットとなり嵩低く蜜に巻き上げられるように構成する「巻上げ可能な防虫網」を提案した。（図６参照）【０００４】  また、特願２００８−９９７６４でサッシＳに張付けられる防虫網１７であって、サッシＳの大きさに合わせて裁断した防虫網１７の各辺にテープ状補強部１７ｓを一体に形成し、好ましくは上記サッシＳに張付けられる防虫網１７の各角をテープ状補強部１７ｓの幅に合わせて切込みを形成してなる構成を採用し、また、内周りに凹溝１５ａを形成したサッシＳと、前記凹溝１５ａに嵌まり合う入れ子枠１６ａと、上記サッシＳに張付けられる防虫網１７からなり、上記サッシＳに張付けられる防虫網１７のテープ状補強部１７ｓを折り曲げて上記凹溝１５ａに差込み、その状態で入れ子枠１６ａを上記凹溝１５ａに嵌め込んでなる構成とし、好ましくは、上記サッシＳの凹溝１５ａと入れ子枠１６ａとの間に嵌め殺し構造１８を採用した構成とする「サッシへの防虫網取付け構造」を提案した。（図７参照）【０００５】  さらにまた、特願２００８−２４６８０６で各辺の縁にテープ状補強部１７ｓとした防虫網１７と、サッシＳ内周壁２１の内側に沿って、上端に鉤２２を形成した段付き隔壁２３を立ち上げ、上記防虫網１７のテープ状補強部１７ｓと後記押え蓋Ｆの鉤状リブ３１を設けたＴ字脚３２とを収容する段付き凹溝２４を形成したサッシＳと、このサッシＳに軸方向に一部を開口した軸受け２７を形成し、この軸受け２７にＴ字脚３２を有する押え蓋Ｆのリブ状回転軸３３を嵌め入れてなる押え蓋Ｆとからなり、上記段付き凹溝２４の底部分に上記テープ状補強部１７ｓを差し込み、押え蓋Ｆを倒すと共に、そのＴ字脚３２を段付き凹溝２４に押し込み、上記段付き隔壁２３の上端の鉤２２に上記Ｔ字脚の鉤状リブ３１を係合させてなる構成の「防虫網張付け構造」を提案した。（図８参照）【０００６】  これ等の提案は、何れも防虫網または遮光スクリーンの縁にテープ状補強部を設けて、熟練を要することなくサッシに防虫網を張付けることを可能にし、あるいは防虫網または遮光スクリーンを嵩低く巻上げ、巻きもどして幅方向に緊張させて展開できるようにしたものである。
【発明の開示】
【発明が解決しようとする課題】
【０００７】  上記提案を市場に提示し評価を求めたところ、防虫網または遮光スクリーンを取り付ける対象がサッシであって寸法的に正確である。従って張付けられる、あるいは巻上げ・巻きもどされて緊張状態で展開される防虫網・遮光スクリーンの寸法も正確でなければならないこと、また、テープ状補強部の寸法も正確でなければ綺麗に張付けられず、スムースに巻き上げ・巻きもどし緊張状態で展開されないことを指摘された。【０００８】  上記市場の指摘をもとにこの発明は、上記四件の提案「遮光スクリーン」、「巻上げ可能な防虫網」、「サッシへの防虫網取付け構造」、「防虫網張付け構造」で形成されるテープ状補強部の寸法精度高くすることによって、取付け作業がスムースに行われ、取付け後は防虫網が均等な緊張状態になること、また巻上げ可能な防虫網あるいは遮光スクリーンにおいては、巻上げ・繰り出しがスムースに行われること、繰り出された状態では均等な緊張状態となる遮光スクリーン・防虫網の縁取り構造を提供することを課題とする。
【課題を解決するための手段】
【０００９】  上記課題を解決するために本発明は、両縁にテープ状補強部１７ｓを一体に形成し、遮光スクリーンまたは防虫網１７が繰り出されるに従って、上記テープ状補強部１７ｓが案内手段１０に導入されることにより折り曲げられて幅方向に緊張状態となり、巻上げられるときには上記案内手段１０から外れてフラットとなり嵩低く蜜に巻き上げられるように構成する巻上げ可能な遮光スクリーンまたは防虫網であって、上記テープ状補強部１７ｓは、長さ方向中心線に沿い、かつ片面側に極薄部０１を形成したもので、その極薄部０１の形成は、二枚の補強テープ１７ｓを並列し両者を極薄の接着テープ０１ｂで貼り合わせて繋ぐようにしたものであり、また、テープ状補強部１７ｓの遮光スクリーンまたは防虫網１７に向かう面に両面接着テープ０２を添着している。【００１０】  また、内周りに凹溝１５ａを形成したサッシＳと、上記凹溝１５ａに嵌まり合う入れ子枠１６ａとを用意し、サッシＳの大きさに合わせて裁断した防虫網１７の各辺にテープ状補強部１７ｓを一体に張付け、このテープ状補強部１７ｓを上記サッシＳの凹溝１５ａに挿入し、上記入れ子枠１６ａを嵌め入れてなるサッシＳへの防虫網取付け構造において、上記テープ状補強部１７ｓの長さ方向中心線に沿い、かつ片面側に極薄部０１を形成したもので、その極薄部０１の形成は二枚のテープ状補強部１７ｓを並列して両者を極薄の接着テープ０１ｂで貼り合わせて繋ぐようにしたものであり、また、テープ状補強部１７ｓの遮光スクリーンまたは防虫網１７に向かう面に両面接着テープ０２を添着している。
【発明の効果】
【００１１】  上記のごとく構成するこの発明によれば、遮光スクリーンまたは防虫網１７の辺・縁を挟み込むようにしてテープ状補強部１７ｓが形成され、両面接着テープ０２により位置決めが行われるので遮光スクリーンまたは防虫網１７の幅・長さの寸法が正確になり、遮光スクリーンまたは防虫網１７のサッシＳへの嵌めこみでは正確かつ綺麗に行うことができ、巻上げタイプの遮光スクリーン・防虫網１７においてはスムースな巻上げと繰り出しが可能になり、繰り出した状態での遮光スクリーン・防虫網１７は均等に繰り延べされる。【００１２】  なお、巻上げタイプの遮光スクリーン・防虫網１７においては、巻き込みの内側になる補強テープを図３の如く薄くするか、図４の如くテープ状補強部１７ｓに極薄テープ０３を貼り合わせて、遮光スクリーンまたは防虫網１７に向かう面に両面接着テープ０２を添着したものにするとスムースに巻き上げられる。例えば補強テープ１７ｓの片面に、それより広い幅（２倍）の極薄テープ０３の片縁を合わせて貼り合せたものを、補強テープの縁を遮光スクリーンまたは防虫網１７の辺・縁に宛がって折り畳むようにして両面接着テープ０２で仮止めした後、遮光スクリーン・防虫網１７に熱融着すれば円弧の差が少なくなって巻上げがスムースに行える。【００１３】  また、防虫網（１７）の固定が強固になり防虫網（１７）に大きな衝撃や外力が加わったとしても張付けられた防虫網の緊張状態が緩むことはない。
【発明を実施するための最良の形態】
【実施例１】
【００１４】  次に図１を参照しながら実施例１について説明する。幅１０ｍｍ、厚さ０．２５ｍｍのポリエステルテープ１７ｓの両側を接して並列し、このポリエステルテープ１７ｓの片面に接線に沿って幅６ｍｍ、厚さ０．０３ｍｍの片面接着テープ０１を縦添えして両者を繋ぎ合わせ両端に両面接着テープ０２を貼り付けてテープ状補強部１７ｓの素材とする。【００１５】  これを折畳み、遮光スクリーンまたは防虫網（以下単に「防虫網」とする）１７の端を挟むようにして取付け、両面接着テープ０２の離型紙を剥いで固定する。このようにするとテープ状補強部１７ｓが安定して防虫網１７の辺・縁に取付けられ寸法的に安定したものとなる。なお、防虫網１７にテープ状補強部１７ｓを取付けるときに適当な間隔で摘み片０４（図５参照）が取付けられるこれはサッシＳの凹溝に防虫網の辺・縁を差込み、抜き取り易くするものである。
【実施例２】
【００１６】  次に図２を参照しながら実施例２について説明する。幅２０ｍｍ、厚さ０．２５ｍｍのポリエステルテープ１７ｓの中央長さ方向に０．０３ｍｍを残してＶ字状（又はＵ字状）に削ぎ取る。削ぎ取りは鉋状の刃物でもって行うか、加熱溶融によって行うか、回転刃によって行うか何れでもよい。こうして中央長さ方向に極薄部０１を形成し、両側縁に両面接着テープ０２を添着してテープ状補強部１７ｓの素材とする。【００１７】  これを折畳み、防虫網１７の端を挟むようにして取付け、両面接着テープ０２の離型紙を剥いで固定する。このようにするとテープ状補強部１７ｓが安定して防虫網１７の辺・縁に取付けられ寸法的に安定したものとなる。なお、この実施例でも摘み片０４を取付けることができる。
【実施例３】
【００１８】  次に図３を参照しながら実施例３について説明する。幅１０ｍｍ、厚さ０．２５ｍｍのポリエステルテープ１７ｓと幅１０ｍｍ、厚さ０．０５ｍｍのポリエステルテープ１７ｓ’の両側を接して並列し、このポリエステルテープ１７ｓ，１７ｓ’の片面に接線に沿って幅６ｍｍ、厚さ０．０３ｍｍの片面接着テープ０１を縦添えして両者を繋ぎ合わせ両端に両面接着テープ０２を添着してテープ状補強部１７ｓの素材とする。【００１９】  これを折畳み、防虫網１７の端を挟むようにして取付け、両面接着テープ０２の離型紙を剥いで固定する。このようにするとテープ状補強部１７ｓが安定して防虫網１７の辺・縁に取付けられ寸法的に安定したものとなる。この実施例ではポリエステルテープの厚さを分厚いものと薄いものとを使用することにより巻きあけ可能な防虫網での円弧の差を少なくして巻上げ時の操作をスムースにする効果が得られる。
【実施例４】
【００２０】  次に図４を参照して実施例４について説明する。幅１０ｍｍ、厚さ０．２５ｍｍの分厚いポリエステルテープ１７ｓに、幅２０ｍｍ、厚さ０．０５ｍｍの極薄のポリエステルテープ０３を、その片縁を前記ポリエステルテープの片縁長さ方向に合わせて接着または融着し、両端に両面接着テープ０２を貼り付けてテープ状補強部１７ｓの素材とする。【００２１】  次に極薄のポリエステルテープ０３の表面に沿わせて防虫網１７をスライドさせ分厚いポリエステルテープの端縁に突き当てた状態にしてテープ状補強部材１７ｓを折り畳んで両面接着テープ０２の離型紙を剥がして固定する。【００２２】  この実施例では、分厚いポリエステルテープと極薄のポリエステルテープとが貼り合わせになっているので巻上げ方式において、実施例３以上に巻上げ、繰り出しがスムースに行うことができる。【００２３】  図５は防虫網１７の周囲縁に実施例１のテープ状補強部１７ｓと摘み片０４を設けた状態を示す。
【産業上の利用可能性】
【００２４】  以上説明した如くこの発明は、先に本発明者が提案した「巻上げ可能な遮光スクリーン」、「巻上げ可能な防虫網」、「サッシへの防虫網取り付け構造」、「防虫網張付け構造」を工事現場での反応、ユーザーの意見を受け入れてよりよいものへと発展させたもので産業上実用性の高いものである。
【図面の簡単な説明】
【００２５】
【図１】実施例１の（ａ）断面図、（ｂ）防虫網に適応した状態の断面図
【図２】実施例２の（ａ）断面図、（ｂ）防虫網に適応した状態の断面図
【図３】実施例３の（ａ）断面図、（ｂ）防虫網に適応した状態の断面図
【図４】実施例４の（ａ）断面図、（ｂ）防虫網に適応した状態の断面図
【図５】実施例１の摘み片を取付けた状態の（ａ）平面図、（ｂ）摘み片部分の断面図
【図６】巻上げ可能な遮光スクリーン（防虫網）の機能説明図
【図７】サッシへの防虫網取り付け構造説明図
【図８】防虫網張付け構造説明図
【符号の説明】
【００２６】０１：極薄部（片面接着テープ）
０２：両面接着テープ
０３：極薄のポリエステルテープ
０４：摘み片
１０：案内手段
１１：開口部
１３：窓枠
１４：切り込み
１５ａ：凹溝
１６ａ：入れ子枠
１７：防虫網（遮光スクリーン）
１７ｓ：テープ状補強部（ポリエステルテープ）
１８：嵌め殺し構造
２１：サッシの内周壁
２２：鉤
２３：隔壁
２４：凹溝
２７：軸受
３１：リブ
３２：Ｔ字脚
３３：リブ状回転軸
【図１】
2010261283.tif 000003
【図２】
2010261283.tif 000004
【図３】
2010261283.tif 000005
【図４】
2010261283.tif 000006
【図５】
2010261283.tif 000007
【図６】
2010261283.tif 000008
【図７】
2010261283.tif 000009
【図８】
2010261283.tif 000010